(57)【特許請求の範囲】
【請求項１】
ロープ２の端末部２０を挿入固定する穴５を有する軸状定着部３の先端に、前記軸状定着部軸線に対して直角状に伸びる１対の支持用兼回転支点用のピン部４，４を一体形成してなり、前記ピン部４は断面円形状をなし、その直径ｄが軸状定着部の直径ｄ´と略等しい関係にあることを特徴とするロープ端末金具。
【請求項２】
ロープの端末部２０を挿入固定した軸状定着部３の先端に、前記軸状定着部軸線に対して直角状に伸びる１対の支持用兼回転支点用のピン部４，４を一体形成してなり、かつ前記ピン部４は断面円形状をなし、その直径ｄが軸状定着部の直径ｄ´と略等しい関係にあるロープ端末金具１と、これを連結する連結金具６，７，８，９からなり、連結金具６，７，８，９がロープ端末金具１の内部への挿入を許容する開口部分と、左右のピン部４，４，を支持する部分と、これと交差して軸状定着部３の導出を許容する部分とを有していることを特徴とするロープ端末金具を利用した連結構造。
【請求項３】
前記連結金具６が、ピン部４，４の寸法に対応する空間６０を有せしめてＵ状に屈曲した金具本体６ａを有し、金具本体６ａは幅方向中央部に、ピン部４，４の太さｄより適度に大きな幅ｗと、ピン部全長よりも適度に大きな長さｈを有する長孔６１を設けており、前記長孔６１は少なくとも金具本体６ａの底６２に達している請求項２に記載のロープ端末金具を利用した連結構造。
【請求項４】
前記連結金具９は一対の半割り金具本体９ａ，９ａからなり、該一対の金具本体９ａ，９ａには、それぞれケーブル、主ロープあるいはロッド類Ｃを嵌める水平方向の溝９０を設け、該溝の上下側に金具本体９ａ，９ａを締め付けるボルトのボルト挿通穴９１，９１´を設けるとともに、下側のボルト挿通穴９１´、９１´の中間位置に前記ピン部４を嵌める支持穴９２を設けている請求項２に記載のロープ端末金具を利用した連結構造。
【請求項５】
前記連結金具８は、ロープ２を挿通する筒部８０とこれから側方に向かって伸びる延長部８１を有する金具本体８ａを備え、延長部８１は先端に反転突部８２を有しており、反転突部８２と延長部間にはピン部４，４の断面形状と一致する嵌め込み溝８３が形成され、延長部８１から反転突部８２にかけては、ピン部４，４の全長と同等以上の長さと、ピン部４，４または軸状定着部３のいずれか太い方の寸法と略同等の幅を有する長孔８４が形成されている請求項２に記載のロープ端末金具を利用した連結構造。
【発明の詳細な説明】
【０００１】
【発明の属する技術分野】
本発明はワイヤロープ類の端末金具とこれを利用した連結構造に関する。
【０００２】
【従来の技術】
ワイヤロープ（ケーブルと称するものを含む。以下同じ）は一般に複数本のストランドまたは素線を撚り合わせて構成されているため、他の部材や構造物などに連結するためにはロープ端末を金具に定着する必要があり、この手段として端末金具が汎用されている。
かかる端末金具、特に対象物に対してロープ角度を調整可能なタイプの端末金具としては、一般に、ロープ定着用の筒部の先端にピン挿通穴を有するリング状頭部を形成したアイエンドと称するもの、ロープ定着用の筒部の先を二又状頭部としそれにピン挿通穴を形成したフォークエンドと称するものが用いられている。
【０００３】
【発明が解決しようとする課題】
しかし、前記のような構造では、他物と連結するには、リング状頭部のピン挿通穴にピンボルトなどの別部材を挿通し、その部材の他端にナットを螺合する必要がある。また、フォークエンドでは、二又状頭部の空隙にプレート状の相手方部材を挿入し、二又状頭部のピン挿通穴と相手方部材のピン挿通穴にピンボルトなどの別部材を挿通し、その部材の他端にナットを螺合する必要がある。
【０００４】
このため、いずれのものも連結作業や取外し作業に手間と時間がかかり、また、リング状頭部や二又状頭部が大きいために、作られる連結構造も大型化するという問題があった。また、部材数が多くなるため、全体の重量が大となるとともにコストも高くなり、さらに、高所での連結や取外し時にはかなりの部品とスパナなどの工具を携行しなければならないので、誤って部品を落下させるなど作業の安全性にも問題があった。
【０００５】
本発明は前記のような問題点を解消するためになされたもので、その第１の目的は、構造が簡単かつコンパクトで、しかも特別な部品類を他に必要としないで対象物に対して簡易、迅速に連結したり取外しを行なうことができ、ロープ方向の調整も容易なロープ端末金具を提供することにある。
【０００６】
また、本発明の他の目的は、前記ロープ端末金具の特徴を生かしたコンパクトで簡単な連結構造を提供することにある。
【０００７】
【課題を解決するための手段】
上記第１の目的を達成するため本発明のロープ端末金具は、ロープの端末部を挿入固定する穴を有する軸状定着部の先端に、前記軸状定着部軸線に対して直角状に伸びる１対の支持用兼回転支点用のピン部を一体形成してなり、前記ピン部は断面円形状をなし、その直径が、軸状定着部の直径と略等しい関係にあることを特徴としている。
【０００８】
また、第２の目的を達成するため本発明は、ロープの端末部を挿入固定した軸状定着部の先端に、前記軸状定着部軸線に対して直角状に伸びる１対の支持用兼回転支点用のピン部を一体形成し、かつ前記ピン部は断面円形状をなし、その直径が、軸状定着部の直径と略等しい関係にあるロープ端末金具とこれを連結する連結金具からなり、連結金具がロープ端末金具の内部への挿入を許容する開口部分と、左右のピン部を支持する部分と、これと交差して軸状定着部の導出を許容する部分とを有していることを特徴としている。
【０００９】
好適には、連結金具は次の構造となっている。
１）連結金具が、ピン部の寸法に対応する空間を有せしめてＵ状に屈曲した金具本体を有し、金具本体は幅方向中央部に、ピン部の太さより適度に大きな幅と、ピン部全長よりも適度に大きな長さを有する長孔を設けており、前記長孔は少なくとも金具本体の底に達している。
２）連結金具は一対の半割り金具本体からなり、該一対の金具本体には、それぞれケーブル、主ロープあるいはロッド類を嵌める水平方向の溝を設け、該溝の上下側に金具本体を締め付けるボルトのボルト挿通穴´を設けるとともに、下側のボルト挿通穴の中間位置に前記ピン部を嵌める支持穴を設けている。
３）連結金具は、ロープを挿通する筒部とこれから側方に向かって伸びる延長部を有する金具本体を備え、延長部は先端に反転突部を有しており、反転突部と延長部間にはピン部の断面形状と一致する嵌め込み溝が形成され、延長部から反転突部にかけては、ピン部の全長と同等以上の長さと、ピン部または軸状定着部のいずれか太い方の寸法と略同等の幅を有する長孔が形成されている。
【００１０】
【発明の実施の形態】
以下本発明の実施例を添付図面を参照して説明する。
図１ないし図３は本発明によるロープ端末金具の一実施例を示しており、１はロープ端末金具、２はロープであり、通常の場合、任意の撚り構造のワイヤロープからなっている。前記ロープ端末金具１は、軸状定着部３とこれの先端部に一体形成された左右一対のピン部４，４とからなっている。
【００１１】
前記軸状定着部３には、図２（ａ）のように、後端からピン部４，４の始端付近に達する深さ（通常ロープ２の直径の３〜５倍の範囲から選ばれる）の定着用穴５が形成されている。
定着法は接着剤や溶融合金によってもよいが、好適には鍛造定着である。図３（ａ）のように定着用穴５にワイヤロープ２の端末部分２０を挿入し、この状態で図３（ｂ）のように粗軸状定着部３´を鍛造型に装入して半径方向から圧縮する。これにより粗軸状定着部３´が塑性変形され、縮径した定着用穴５が端末部分２０に密着することによりロープ２の破断荷重以下で抜けたり破断したりしないようにロープ端末金具１とロープ２が一体化される。鍛造されぬままのピン部４，４に近接した部位には適度に径大な首部３ａが形成されている。
【００１２】
ピン部４，４は軸方向と直角の断面が円形状をなしている。これはピン部４，４を軸方向の抜け止め支持機能だけでなく、ロープ端末金具１を連結させる連結金具と協働して回動支点（枢軸）として機能させるためである。
ピン部４，４の太さ（直径）ｄは、通常、軸状定着部３の外径ｄ´と略同等かあるいはそれ以上であることが好ましく、軸状定着部３のつけ根からの長さＬは、ロープに荷重をかけたときに十分な支持強度が得られるよう、Ｌ≦ｄとすることが好ましい。しかし、ロープ２に加えられる荷重の大きさ、ロープ端末金具１の材質、機械的特性などによって適宜変更することができる。
【００１３】
仕様の一例をあげると、直径が１０ｍｍワイヤロープである場合、軸状定着部３の外径ｄ´：２０ｍｍ、首部外径：２２ｍｍ、定着用穴深さ：６５ｍｍ、ピン部４，４の太さｄ：２０ｍｍ、ピン部４の長さＬ：１５ｍｍ、ピン部全長ＦＬ：５２ｍｍである。
なお、ピン部４，４はこれをロープ方向を可変とするための回転支点とすべく断面円形としているが、ロープ方向を可変とする必要がない場合には、直線面を有する断面形状たとえば四角形などにしてもよい。また、実施例ではピン部４，４は中実となっているが、場合によっては中空状（筒状）となっていてもよい。
【００１４】
図４（ａ）（ｂ）は本発明によるロープ端末金具１を使用したロープ２と組合わせ使用するのに好適な連結金具６の第１態様を示している。
ピン部４，４の寸法（ｄ，ＦＬ）に対応する空間６０を有するようにＵ字状に屈曲した金具本体６ａの幅方向中央部に、ピン部４，４の太さｄより適度に大きな幅ｗと、ピン部全長ＦＬよりも適度に大きな長さｈを有する長孔６１を設けている。前記長孔６１は少なくとも金具本体６ａの底６２に達しており、要求されるロープ振り方向に応じて背部６３にまで達するように設けられる。
【００１５】
第１態様の場合には、金具本体６ａは固定物Ａに溶接などによって固定される。図５（ａ）のようにロープ端末金具１のピン部４，４を縦向きにして、長孔６１を通して空間６０に挿入する。そしてこの状態で（ｂ）のようにロープ端末金具１またはロープ２を９０度回転させてピン部４，４を横向きにし、ロープ２を下方に牽引する。これで（ｃ）のようになり、ピン部４，４は曲率状の金具本体底部６２に保持され、軸状定着部３は長孔６１を通して外部に突き出す。
【００１６】
したがって、他に何の部材も工具も要さずに、ほぼワンタッチの操作によって連結支持させることができる。断面が円形状のピン部４，４は長孔６１の両側の曲率状の金具本体底部６２に支持されるので、長孔６１の長手方向端部に軸状定着部３が当接する限度でロープ端末金具１およびこれと一体のロープ２を所望の方向に向けることができる。なお、金具本体６ａの上端は実施例のようにＵ状でなく、前後片が相互に接近あるいは当接するように構成されていてもよい。
【００１７】
図６は連結金具６の第２態様を示しており、金具本体６ｂはＪ状に屈曲され、前部６４の上端から底に達する割溝６５が形成されている。
この態様の場合には、図６（ａ）の仮想線のようにピン部４，４を前部６４の上端よりも上方に位置するように金具本体６ｂに接近させ、軸状定着部３を割溝６５に嵌めつつロープ２を下方に牽引すればよく、ピン部４，４は空間６０に挿入され、割溝６５によって分割されている曲率底部６２によつて保持される。
この第２態様はロープ２の簡単な取外しが求められる場合に適している。
【００１８】
図７は連結金具６の第３態様を示している。この態様は床や壁などにロープ２の端を連結して張設する場合に適しており、対象物に対する固定部６６を有する湾状をなした金具本体６ｃの頂部に一文字状または十字状など放射状の溝６７を設けている。溝の長さｈはピン部４，４の全長ＦＬより大きくし、溝の幅ｗは軸状定着部３の太さとほぼ一致している。溝６７の端部位置の設定あるいは金具本体６ｃの曲率の設定により、ロープ角度を可変にすることができる。
【００１９】
この態様においては、溝６７を通してピン部４，４を金具本体６ｃの内部に挿入し、軸状定着部３を溝端に導けばよく、これで図７（ｂ）（ｃ）のようになるので、これまた他に何の部材や工具も要さず、ほぼワンタッチの操作によって連結支持させることができる。図示のように溝６７を十字状としたときには、ロープ２を所望の方向に連結することができる。
【００２０】
図８は連結金具６の第３態様を示している。これは天井部などからロープを吊る場合などに適しており、連結金具は天井そのものまたはこれに固定される金具として構成される。下方に開口した長孔６８とこれの奥側に長孔６８の中央と交差状に設けられた底断面が曲率状の有底溝６９，６９とを有している。長孔６８は長さｈがピン部４，４の全長ＦＬと略一致し、幅はピン部４，４の太さｄとほぼ一致している。
【００２１】
この場合には、長孔６８を通してピン部４，４を挿入し、全体を９０度回転させればピン部４，４が有底溝６９，６９によって支持され、これだけで吊り支持を行なうことができる。そして、この状態で長孔６８の長さ方向壁６８０，６８０を限度としてロープ角度を変化させることができる。
【００２２】
図９は２本のロープ２，２をつなぐのに好適な連結金具７の第１態様を示している。金具本体７ａには底部の長手方向両端をピン部４，４の太さにほぼ一致するようにわん曲して曲率内面７１，７１を有するあご７０，７０を形成し、底部には曲率内面の上縁に達する長さの長孔７２を形成している。長孔７２の幅はピン部４，４か軸状定着部３のいずれか太い方の寸法とほぼ一致している。
なお、あご７０，７０は必ずしも分離していることは要さず、仮想線のように連結部７０´を有していてもよく、この場合には連結金具７は全体として側面偏平リング状となる。
【００２３】
この態様の場合には、図１０（ａ）（ｂ）のようにピン部４，４を長孔７２を通して空間に突き出させ、この状態で（ｃ）のように全体を９０度回転させ、ピン部４，４を長孔７２と交差状にする。あとは、（ｄ）のようにロープ２を横に向け、引張り方向に寄せればよく、ピン部４，４はあご部７０によって支持され、軸状定着部３は長孔７２から突出する。もう一方のロープについても同様な操作で反対方向に取り付けることができる。
この態様も他に何の部材や工具も要さず、ほぼワンタッチの操作によってロープを連結支持させることができ、ロープの引張り方向は長孔７２の端への当接を限度として任意に変えることができる。
【００２４】
図１１は２本のロープ２，２をつなぐのに好適な連結金具７の別の態様を示している。この例では、金具本体７ｂは球に近似するブロック状をなし、中心線上にピン部４，４か軸状定着部３のいずれか太い方の寸法とほぼ一致する幅の第１溝７３が形成されるとともに、この第１溝７３と直交する第２の溝７４が形成され、第１溝７３と第２の溝７４の全体は平面からみて十文字状をなしている。第２の溝７４はピン部４，４の太さと同等以上の幅を有している。
第２の溝７４の奥端には、ピン部４，４の太さｄおよび断面形状と略一致する嵌め込み溝７５，７５が凹入形成されており、第１の溝７３は嵌め込み溝７５，７５の上端に達する深さを有している。
【００２５】
この態様の場合には、ロープ２の端末金具１は、軸状定着部３が第１溝７３に位置し、ピン部４，４が第２の溝７４に位置するように上方から嵌められ、ピン部４，４が第２の溝７４の底に当接したところで、ロープ２または軸状定着部３を持って後方に引っ張ればよく、これでピン部４，４が嵌め込み溝７５に嵌め込まれるため、図１２（ｃ）のように連結される。右側のロープ２についても同様な操作を行なうことにより、他に何の部材も工具も要さず、ほぼワンタッチの操作によって連結支持させることができ、ロープの引張り方向は第１の溝７３が深い空間となっているため、任意に変えることができる。なお、抜け出しを完全に防止したい場合には、金具本体７ｂの上面を平坦面とし、第１溝７３と第２の溝７４に嵌まる突条を有するキャップを嵌合すればよい。
【００２６】
図１３は玉掛けに好適な連結金具８の例を示している。この例では、金具本体８ａはロープ２を挿通する筒部８０に側方に向かって伸びる延長部８１を形成している。この延長部８１は先端に反転突部（あご部）８２を有しており延長部８１と反転突部８２は全体として略横Ｊ状となっている。反転突部８２と延長部間にはピン部４，４の断面形状と一致する嵌め込み溝８３が形成されている。そして、延長部８１から反転突部８２にかけては肉厚を貫く長孔８４が形成されている。この長孔８４は、ピン部４，４の全長ＦＬと同等以上の長さと、ピン部４，４または軸状定着部３のいずれか太い方の寸法と略同等の幅と有している。
【００２７】
この態様の場合には、筒部８０から導出されているロープ２を対象物Ｂに巻回し、ピン部４，４を長孔８４を通して延長部８１の上面側に突出させ、この状態でピン部４，４と軸状定着部３を９０度向きを変え、ロープ２を牽引すればよい。これによりピン部４，４は嵌め込み溝８３に嵌まり、軸状定着部３が長孔８４から突出される。したがって、この態様も他に何の部材も要さず、ほぼワンタッチの操作によって玉掛けすることができ、長孔８４に沿って軸状定着部３が移動できるためロープの引張り方向を任意に変えることができる。
【００２８】
図１４はケーブルや主ロープあるいはロッド類をクランプしつつロープ２を交差状に連結する場合に好適な連結金具９の第１態様を示している。この態様においては、半割り金具本体９ａ，９ａのそれぞれに、ケーブルや主ロープあるいはロッド類Ｃを嵌める溝９０と、該溝の上下側にボルト挿通穴９１，９１´とを設け、下側のボルト挿通穴９１´の近傍にピン部４を嵌める支持穴９２を設けている。
【００２９】
この態様においては、ケーブルや主ロープあるいはロッド類Ｃを挟むように半割り金具本体９ａ，９ａを対向させ、ボルト挿通穴９１，９１´にボルト９３を通してナット９４を軽く螺合し、半割り金具本体９ａ，９ａの対向すき間にピン部４，４を挿入し、左右の支持穴９２，９２にピン部４，４を嵌め、この状態でボルトナットを本締めすればよい。
こうすれば、他に何の部材も要さず、簡単にロープ２を連結支持させることができ、ピン部４，４は支持穴９２，９２で回転可能であるから、軸状定着部３とロープは張り方向を任意に変えることができる。
【００３０】
図１５は図１４と同様な目的のための連結金具の第２態様を示している。この態様においては、半割り金具本体９ａ，９ａが横長状をなし、下側のボルト挿通穴９１´，９１´の中間にしかも溝Ｃと近接してピン部４を嵌める支持穴９２を設けている。そして支持穴９２の入り口部分には、半割り金具本体９ａの下縁に向かって所要角度で扇状に拡大した側壁    を有する浅溝９６を形成している。浅溝９６は半割り金具本体９ａ，９ａが対向したときに軸状定着部３の挿通を許す縦穴となる。
この態様もロープの連結法は第１４図の場合と同様であり、ピン部４，４が支持穴９２，９２によって回動可能に支持され、浅溝９６，９６が扇状に拡大しているため、側壁９６０，９６０に軸状定着部３が当接する限度内でロープ２の方向を変えることができる。
【００３１】
本発明によるロープ端末金具を適用したロープと連結金具はさまざまな用途に使用することができる。図１６はその第１例として、吊り屋根の主索Ｅおよび押え索Ｆに適用した例を示している。
Ｇは支柱、Ｈは吊り屋根であり、下端が吊り屋根Ｈに連結された主索Ｅは、支柱Ｇの天端周囲に設けた連結金具Ｊにロープ端末金具１を介して支持され、下端が吊り屋根Ｈに連結された押え索Ｆは、主索Ｅに取り付けた連結金具Ｋにロープ端末金具１を介して連結されている。連結金具Ｊの例としては図４や図６に示した態様があげられる。連結金具Ｋの例としては、図１４や図１５に示した態様があげられる。
【００３２】
図１７はクレーンのペンダントロープに適用した例を示しており、この場合には連結金具Ｍとして図９や図１１に示したものが用いられる。
図１８はクローラクレーンや高所作業車などのブーム伸縮ロープに適用した例を示しており、第１ブームｍに第２ブームｎが、第２ブームｎに第３ブームｐがおのおの入子式に納められている。伸び用ロープ２は基端が第１ブームｍの後端に固定金具Ｎにより定着され、第２ブームｎの先端側部のシーブを介して反転され、第２ブームｎの後部よりの位置の連結金具Ｐに連結されている。また、縮み用ロープ２は基端が第１ブームｍの前部位置に固定金具Ｎにより定着され、第２ブームｎの後側部のシーブを介して反転され、第２ブームｎの後部よりの位置の連結金具Ｐに連結されている。
連結金具Ｐとしては図４や図５に示したものが用いられる。
【００３３】
図１９は運動施設たとえばバックネットのハンガーロープに適用した例を示しており、主索Ｑに取り付けた連結金具Ｒに連結され、各ハンガーロープＴ間にはネットＳが張設されている。この場合の連結金具Ｒとしては、図１５や図１４に示したものが用いられる。
その他図示しないがブランコなどの遊戯施設の吊りロープなど多種多様な用途が考えられる。
【００３４】
【実施例の作用】
本発明によるロープ端末金具は、ロープ２の端末部２０を定着した軸状定着部３の先端にこれと一体に左右に伸びるピン部４，４が形成され、全体としてＴピン状をなしているから非常にコンパクトであり、連結金具側には、ピン部４，４を内部に挿入するための穴や溝と、ピン部４，４を支える部分と、軸状定着部３を導きだす溝や穴があればよいので、連結金具側も構造が簡単で小型なものとすることができる。
【００３５】
前記のような穴や溝にピン部４，４を嵌めてロープを引張れば、ピン部４，４とこれを嵌めた支持部分によってしっかりと荷重が支持される。そしてピン部４，４と支持部分は断面形状が合致しているから、ピン部４，４は回動でき、該ピン４，４と一体の軸状定着部３に定着しているロープ２は軸状定着部３を導きだす溝や穴の寸法に応じて方向を変化することができる。
【００３６】
また、ロープ端末金具１は、軸状定着部３と一体に左右に伸びるピン部４，４が荷重支持機能と同時に回転支点として機能するから、連結金具への取付け取外し時において、ピンボルトやこれと螺合するナットなどの他部材を必要としない。したがって、作業性が非常によく、簡単、迅速、低コストで取付け取外しを行なうことができる。また、支点用のピンボルト、ナット、回動用工具などを必要としないから、高所での作業もこれらを携行する必要がなくなり、安全に作業を行なうことができる。
【００３７】
なお、本発明違ってピンを別部材とし、これを軸状定着部３の先端付近に設けた貫通穴に軸方向と直角状に挿通した場合には十字状となるため、その分だけ端末金具が大きくなるが、軸状定着部３の先端にこれを含むようにピン部４，４が形成されるので、頭部は小型になる。また、別部材のピンを貫通穴に貫挿したのではピンが貫通穴で動いて片方のピンが片側に偏してしまったり、貫通穴から抜け落ちてしまう。これを防止するため、ピンの両端面にねじ穴を設け、つば部材をピンの両端面に当ててねじ穴にねじを螺合することが必要になり、これにより部品数が増してコスト高になるとともに、連結金具への取付取外し作業に手間と時間がかかる。本発明はこうした難点がまったくない。
【００３８】
【発明の効果】
以上説明した本発明の請求項１によるときには、ロープ２の端末部２０を挿入固定する穴５を有する軸状定着部３の先端に、前記軸状定着部軸線に対して直角状に伸びる１対の支持用兼回転支点用のピン部４，４を一体形成しているので、構造が簡単かつコンパクトで、しかも特別な部品類を他に必要としないで対象物に対して簡易、迅速に連結したり取外しを行なうことができ、ロープ方向の調整も容易に行なえ、しかもピン部４は断面円形状をなし、その直径ｄが軸状定着部の直径ｄ´と略等しい関係にあるので、良好な強度をもたせかつ側面もスリムなものとすることができるので、連結金具への組み込みセットが容易であるというすぐれた効果が得られる。
【００３９】
請求項２によれば、構造が簡単かつコンパクトで、しかも特別な部品類を他に必要としないで対象物に対して簡易、迅速に連結したり取外しを行なうことができ、ロープ方向の調整も容易に行なえ、しかもピン部４は断面円形状をなし、その直径ｄが軸状定着部の直径ｄ´と略等しい関係にあるので、良好な強度をもたせかつ側面もスリムなものとすることができ、連結金具への組み込みセットも容易であるというロープ端末金具１の効果に加え、ロープ端末金具１を連結する連結金具６，７，８，９がロープ端末金具１の内部への挿入を許容する開口部分と、左右のピン部４，４，を支持する部分と、これと交差して軸状定着部３の導出を許容する部分とを有しているので、連結金具６，７，８，９をロープ端末金具の特徴を生かしたコンパクトなものとすることができ、また作業性もよいものとすることができ、これによりロープをしっかりと連結できながらコンパクトで簡単な連結構造を得ることができるというすぐれた効果が得られる。
【００４０】
請求項３によれば、端末金具と組み合わせる連結金具６が、ピン部４，４の寸法に対応する空間６０を有せしめてＵ状に屈曲した金具本体６ａを有し、金具本体６ａは幅方向中央部に、ピン部４，４の太さｄより適度に大きな幅ｗと、ピン部全長よりも適度に大きな長さｈを有する長孔６１を設けており、前記長孔６１は少なくとも金具本体６ａの底６２に達しているので、ロープ端末金具１のピン部４，４を縦向きにして、長孔６１を通して空間６０に挿入し、この状態でロープ端末金具１またはロープ２を９０度回転させてピン部４，４を横向きにし、ロープ２を下方に牽引することにより。ピン部４，４は曲率状の金具本体底部６２に保持され、軸状定着部３は長孔６１を通して外部に突き出すことになり、したがって、他に何の部材も工具も要さずに、ほぼワンタッチの操作によって連結支持させることができ、したがって、連結金具６はロープ端末金具の特徴を生かしたコンパクトなものとすることができ、また作業性もよいものとすることができ、これによりロープをしっかりと連結できながらコンパクトで簡単な連結構造を得ることができ、たとえば、吊り屋根の主索Ｅやクローラクレーンや高所作業車などのブーム伸縮ロープに好適な連結構造を提供できる効果が得られる。
【００４１】
請求項４によれば、端末金具と組み合わせる連結金具９は一対の半割り金具本体９ａ，９ａからなり、該一対の金具本体９ａ，９ａには、それぞれケーブル、主ロープあるいはロッド類Ｃを嵌める水平方向の溝９０を設け、該溝の上下側に金具本体９ａ，９ａを締め付けるボルトのボルト挿通穴９１，９１´を設けるとともに、下側のボルト挿通穴９１´、９１´の中間位置に前記ピン部４を嵌める支持穴９２を設けているので、ケーブルや主ロープあるいはロッド類Ｃを挟むように半割り金具本体９ａ，９ａを対向させ、ボルト挿通穴９１，９１´にボルト９３を通してナット９４を軽く螺合し、半割り金具本体９ａ，９ａの対向すき間にピン部４，４を挿入し、左右の支持穴９２，９２にピン部４，４を嵌め、この状態でボルトナットを本締めすれば、他に何の部材も要さず、簡単にロープ２を連結支持させることができ、ピン部４，４は支持穴９２，９２で回転可能であるから、軸状定着部３とロープは張り方向を任意に変えることができる。したがって、連結金具９はロープ端末金具の特徴を生かしたコンパクトなものとすることができ、また作業性もよいものとすることができ、これによりロープをしっかりと連結できながらコンパクトで簡単な連結構造を得ることができ、ケーブルや主ロープあるいはロッド類をクランプしつつロープ２を交差状に連結する場合たとえば、吊り屋根の押え索Ｆや運動施設たとえばバックネットのハンガーロープなどに好適な連結構造を提供できる効果が得られる。
【００４２】
請求項５によれば、端末金具と組み合わせる連結金具８の金具本体８ａは、ロープ２を挿通する筒部８０とこれから側方に向かって伸びる延長部８１を有し、この延長部８１は先端に反転突部８２を有しており、反転突部８２と延長部間にはピン部４，４の断面形状と一致する嵌め込み溝８３が形成され、延長部８１から反転突部８２にかけては、ピン部４，４の全長と同等以上の長さと、ピン部４，４または軸状定着部３のいずれか太い方の寸法と略同等の幅を有する長孔８４が形成されているので、筒部８０から導出されているロープ２を対象物Ｂに巻回し、ピン部４，４を長孔８４を通して延長部８１の上面側に突出させ、この状態でピン部４，４と軸状定着部３を９０度向きを変え、ロープ２を牽引すれば、ピン部４，４は嵌め込み溝８３に嵌まり、軸状定着部３が長孔８４から突出される。したがって、他に何の部材も要さず、ほぼワンタッチの操作によって玉掛けすることができ、長孔８４に沿って軸状定着部３が移動できるためロープの引張り方向を任意に変えることができるというすぐれた効果が得られる。
【図面の簡単な説明】
【図１】  （ａ）は本発明によるロープ端末金具を適用したロープの部分的側面図、（ｂ）はその一部拡大図である。
【図２】  （ａ）は本発明によるロープ端末金具の縦断側面図、（ｂ）はその部分切欠平面図である。
【図３】  （ａ）は本発明によるロープ端末金具へのロープ定着例の第１段階、（ｂ）は第２段階を示す説明図である。
【図４】  （ａ）は本発明によるロープ端末金具と組合わせ使用される連結金具の第１態様を示す斜視図、（ｂ）は（ａ）のＸ−Ｘ線に沿う断面図である。
【図５】  （ａ）（ｂ）（ｃ）は図４の連結金具へのセット状態を段階的に示す斜視図である。
【図６】  （ａ）は本発明によるロープ端末金具と組合わせ使用される連結金具の第２態様を示す斜視図、（ｂ）はその断面図である。
【図７】  （ａ）は本発明によるロープ端末金具と組合わせ使用される連結金具の第３態様を示す斜視図、（ｂ）はその断面図、（ｃ）はロープの連結状態を示す斜視図である。
【図８】  （ａ）は本発明によるロープ端末金具と組合わせ使用される連結金具の第４態様を示す断面図、（ｂ）はその平面図、（ｃ）はロープの連結状態を示す斜視図である。
【図９】  （ａ）本発明によるロープ端末金具と組合わせ使用される２ロープ連結金具の第１態様を示す斜視図、（ｂ）は（ａ）のＹ−Ｙ線に沿う断面図である。
【図１０】  （ａ）（ｂ）（ｃ）（ｄ）は図９の連結金具へのロープの連結工程を段階的に示す説明図である。
【図１１】  （ａ）は本発明によるロープ端末金具と組合わせ使用される２ロープ連結金具の第２態様を示す斜視図、（ｂ）はその平面図である。
【図１２】  図１１の連結金具へのロープの連結状態を示す斜視図である。
【図１３】  （ａ）は本発明によるロープ端末金具と組合わせ使用される連結金具の他の態様を示す縦断側面図、（ｂ）はその平面図、（ｃ）は連結金具へのロープの連結状態を示す斜視図である。
【図１４】  （ａ）は本発明によるロープ端末金具と組合わせ使用されるクランプ型連結金具の第１態様とロープ連結状態を示す縦断側面図、（ｂ）はその半断正面図である。
【図１５】  （ａ）は本発明によるロープ端末金具と組合わせ使用されるクランプ型連結金具の第２態様とロープ連結状態を示す部分切欠正面図、（ｂ）はその縦断側面図である。
【図１６】  （ａ）は本発明の使用例を示す斜視図、（ｂ）は粗の一部拡大図、（ｃ）はその一部拡大図である。
【図１７】  本発明の使用例を示す斜視図である。
【図１８】  （ａ）は本発明の使用例を示す斜視図、（ｂ）はその一部拡大図である。
【図１９】  （ａ）は本発明の使用例を示す斜視図、（ｂ）はその一部拡大図である。
【符号の説明】
１    端末金具
２    ロープ
２０    端末部
３    軸状定着部
４    ピン部
５    穴
６，７，８，９    連結金具
６ａ、８ａ、９ａ金具本体
６１  長孔
６２  底
８０  筒部
８１  延長部
８２  反転突部
８３  嵌め込み溝
８４  長孔
９０  溝
９１、９１´  ボルト挿通穴
９２  支持穴
【図１】
0003773813.tif 000002
【図２】
0003773813.tif 000003
【図３】
0003773813.tif 000004
【図４】
0003773813.tif 000005
【図５】
0003773813.tif 000006
【図６】
0003773813.tif 000007
【図７】
0003773813.tif 000008
【図８】
0003773813.tif 000009
【図９】
0003773813.tif 000010
【図１０】
0003773813.tif 000011
【図１１】
0003773813.tif 000012
【図１２】
0003773813.tif 000013
【図１３】
0003773813.tif 000014
【図１４】
0003773813.tif 000015
【図１５】
0003773813.tif 000016
【図１６】
0003773813.tif 000017
【図１７】
0003773813.tif 000018
【図１８】
0003773813.tif 000019
【図１９】
0003773813.tif 000020